【事件の表示】
　特許第２７９６２６４号「電気掃除機の吸込口」の特許に対する特許異議の申立てについて、次のとおり決定する。
【結論】
　訂正を認める。
　特許第２７９６２６４号の特許を維持する。
【理由】
１．本件は、特許第２７９６２６４号に関し、その受けた特許を取り消すべき旨主張して申し立てられたところの特許異議申立事件に存する。
２．本件の特許発明に係る出願の経過等に関する手続の経緯の概要は次のとおりである。
１）　出願日：昭和６１年２月２８日（本件件分割出願の原出願とされた特願平５−５０８７４号の更に分割の元となった原出願とされる特願昭６１−４５７６２号の出願日）
２）　登録日：平成１０年６月２６日
３）　特許公報：平成１０年９月１０日　本件特許公報発行
４）　異議申立：平成１１年３月８日三洋電機株式会社より特許異議の申立
５）　取消理由：平成１１年６月１日取消理由の通知
｛６）　訂正請求：平成１１年８月６日　訂正請求書（後日取下）と意見書提出｝
｛７）　取消理由：平成１１年９月２８日　取消理由の通知｝
８）　訂正請求：平成１１年９月２８日特許権者より訂正請求書と意見書提出
｛９）訂正請求取下：平成１１年１０月２０日　最初の訂正請求書（平成１１−８−６提出）の取下書を提出｝
３．　訂正適否の判断
　右平成１１年９月２８日付け訂正請求が、法の趣旨に適合するか否かにつき、審案する。
１）　訂正請求の骨子とするところは（特許請求の範囲の項に係る部分）、以下のところに存する。即ち、
　本件の登録時の【特許請求の範囲】１．に係る記載である『下面に吸塵開口部を有する回転ブラシ室を吸込口本体の前部に設け、
　上記吸込口本体の後部中央に該回転ブラシ室と連通する連絡路を設け、
　上記吸込口本体の後部に該連絡路の一方に隣接させて電動機室を設け、
　上記回転ブラシ室に回転ブラシを配設し、
　上記電動機室に回転ブラシを騒動する電動機を配設し、
　上記連絡路に連通する駆動パイプを設けた電気掃除機の吸込口において、
　上記吸込口本体に上記連絡路の他方に隣接させて電気部品を収納するためのコンセント収納室を設け、
　上記連絡路の上記回転ブラシ室側の上部に通路カバーを架設し、
　上記吸込口本体に、上記コンセント収納室内に上記電動機室、上記通路カバーを介して外気を吸気する空気孔を設け、
　上記連絡路壁に設けられた連通部により上記コンセント収納室と上記駆動パイプの内部空間とを連通させたことを特徴とする電気掃除機の吸込口。』を、
明りょうでない記載の釈明を目途として、
　『１．下面に吸塵開口部を有する回転ブラシ室を吸込口本体の前部に設け、
　上記吸込口本体の後部中央に該回転ブラシ室と連通する連絡路を設け、
　上記吸込口本体の後部に該連絡路の一方に隣接させて電動機室を設け、
　上記回転ブラシ室に回転ブラシを配設し、
　上記電動機室に回転ブラシを駆動する電動機を配設し、
　上記連絡路に連通する駆動パイプを設けた電気掃除機の吸込口において、
　上記吸込口本体に上記連絡路の他方に隣接させてコンセントを収納するためのコンセント収納室を設け、
　上記連絡路の上記回転ブラシ室側の上部に通路カバーを架設し、
　上記吸込口本体に、上記コンセント収納室内に上記電動機室、上記通路カバーを介して外気を吸気する空気孔を設け、
　上記連絡路の壁に設けられた連通部により上記コンセント収納室と上記駆動パイプの内部空間とを連通させたことを特徴とする電気掃除機の吸込口。』と、
訂正するものである。
２）　右訂正事項（訂正事項Ａ）は、明りょうでない記載の釈明であると捉えられ、むろん願書に添付した明細書・図面に記載された範囲内の事項であり、この訂正により、格別特許請求の範囲を変更・拡大するものには当たらないことは、明らかに是認されるところである。
　また、その余の訂正事項（訂正事項Ｂ）は、すべて、右特許請求の範囲の訂正に伴い、発明の詳細な説明の項における記載の整合性を全うするための訂正であって、何れも、明りょうでない記載の釈明に相当し、願書に添付した明細書・図面に記載された範囲内の事項にして、これ等の事項により、特許請求の範囲を拡張若しくは変更をもたらすものではないことは明らかである。
３）　そこで、右訂正後の【特許請求の範囲】１．に係る発明が、出願の際、独立して特許を受けることができるか否かにつき、審案する。
（Ｉ）　明細書の記載の不備については、右訂正事項Ａ．により特許請求の範囲の項における不明りょうな記載の瑕疵が、治癒された。
　したがって、特許法第３６条第４項の規定の趣旨に悖るものではなく、適法なものというべきである。
　同様に、右訂正事項Ｂ．についても、これにより、特許請求の範囲の記載事項に整合するように、発明の詳細な説明の項における記載の明りょう化を図ったものというべきであり、特許法第３６条第３項の規定の趣旨に適合するものである。
（ＩＩ）　［援用刊行物］との、牽連性
▲１▼　第１刊行物：「特開昭６３−３０５８３２号公報」は、本件に係る出願後に頒布された刊行物であるところ、特許法第２９条第１項、第２項の規定の適用に当たっては、援用に供することができず、この記載事項を以ては、本件に係る発明につき、独立して特許を受けるかどうかの判断の資料とすることができない。
　蓋し、本件分割出願は、分割出願の原々出願の願書に添付した明細書・図面に記載された技術的範疇内に於ける技術的事項を内容とするものであり、格別新規事項が追加されたものというべきではなく、いわゆる出願日の遡及取り扱いすることに何等の支障も、存しないというべきであるからである。
４）　なお、外に、本件訂正後の【特許請求の範囲】１．に係る発明につき、独立して特許を受けることを得ないとする理由を発見しない。
５）　それ故、訂正後の【特許請求の範囲】１．に係る発明は、本件認定出願日の際、独立して特許を受けることができるものというべきである。
　そうすると、本件に於ける平成１１年９月２８日付け訂正請求は、特許法第１２０条の４第３項の規定において準用する同法第１２６条第２項〜第４項の規定の趣意に適合し、適法なものとして認容せざるを得ないものというべきである。
４．　異議申立についての判断
１）　異議申立人は、本件出願については、原々出願の明細書・図面に記載されていない新規事項が追加されているところ、出願日遡及の取り扱いは認められず、してみると、本件発明は、その出願前公知となった「第１刊行物」（甲第２号証刊行物）に記載された発明に基づいて、当業者が容易に発明をすることができたものであるから、その受けた特許は取り消されるべきである旨主張する口吻と捉えられる。
　申立人の主張にいう新規事項の追加の理由とするところは、
　『原々出願の公開公報である特開昭６２−２０１１２７号公報（甲第１号証）には、「第１図において、矢印は冷却空気の流れを示すもので、この流れについて説明する。この冷却空気の流れは後記掃除機本体内の電動送風機の運転により発生するものであり、電動機３近傍にて上ケース５に設けた空気孔（図示せず）から外気が電動機室１８内に入り、電動機３内部、抵抗器４０の周囲を経て連絡路１５壁の透孔（図示せず）から吸塵通路に流れ、電動機３及び抵抗器４０を冷却する。」（公報第３頁右上欄３行目乃至第１１行目）と記載されているだけで、コンセント３８を冷却するとの記載はなされていず、
　更に、第１図には空気の流れを示す失印とコンセント３８との間にリブが形成されており、コンセント３８に冷却空気が達することはあり得ないものであって、原々出願の明細書及び図面に本件特許発明の特徴とする構成、課題及び作用効果が開示されていない』
というものである。
　しかしながら、本件に係る原々出願の公開公報たる特開昭６２−２０１１２７号公報には、「吸込口本体１の内部両側には機構室１６，１７を形成し、かつこの内側で連絡路１５の両側には電動機室１８とコンセント収納室１９を形成しており、」（第２頁上段右欄第１９行〜下段左欄第２行目）とあり、
　また、右公報第１図のとおり、コンセント収納室１９は、左端の機構室１７の内側を広範に占めており、電動機を通過した冷却空気は、該コンセント収納室にも流れる態様が垣間見られるところ、該空気に随伴してコンセントの冷却が誘われるものと解するに吝かでないといってしかるべきである。
　それ故、本件【特許請求の範囲】１．に係る発明が、原々出願の発明に新規事項を追加するものであり、ために、出願日の遡及取り扱いを認めるべきでない旨の申立人の主張は当を得ないものといってしかるべきである。
２）　そうすると、本件訂正後の【特許請求の範囲】１．に係る発明につき、上記第１刊行物に記載された発明に基づいて容易に想到することができたものとする申立人の主張は、そもそも、該第刊行物が、この出願前に頒布されたものではないところ、採用することができないというべきである。
　なお、このことは、本件訂正請求の適法性の判断の過程においても、既に審案したとおりであり、これ以上、繰り返しはしない。
３）　外に、本件訂正請求の後の【特許請求の範囲】１．に係る発明に関して受けた特許につき、取り消すべき理由を発見しない。
　よって、結論のとおり決定する。
【異議決定日】
平成１１年１１月１９日（１９９９．１１．１９）
【訂正の要旨】
訂正の要旨
Ａ．特許請求の範囲の請求項１中の「・・・を騒動する電動機を配設し、上記連絡路に連通する駆動パイプを設けた電気掃除機の吸込口において、上記吸込口本体に上記連絡路の他方に隣接させて電気部品を収納するためのコンセント収納室を設け、上記連絡路の上記回転ブラシ室側の上部に通路カバーを架設し、上記吸込口本体に、上記コンセント収納室内に上記電動機室、上記通路カバーを介して外気を吸気する空気孔を設け、上記連絡路壁に設けられた・・・」を特許請求の範囲の明瞭でない記載の釈明を目的として、「・・・を駆動する電動機を配設し、上記連絡路に連通する駆動パイプを設けた電気掃除機の吸込口において、上記吸込口本体に上記連絡路の他方に隣接させてコンセントを収納するためのコンセント収納室を設け、上記連絡路の上記回転ブラシ室側の上部に通路カバーを架設し、上記吸込口本体に、上記コンセント収納室内に上記電動機室、上記通路カバーを介して外気を吸気する空気孔を設け、上記連絡路の壁に設けられた・・・」と訂正致します。
Ｂ．これに伴い、特許請求の範囲の記載と発明の詳細な説明の記載との整合を図るため、明瞭でない記載の釈明を目的として、明細書の段落番号【０００５】の「・・・を騒動する電動機を配設し、上記連絡路に連通する駆動パイプを設けた電気掃除機の吸込口において、上記吸込口本体に上記連絡路の他方に隣接させて電気部品を収納するためのコンセント収納室を設け、上記連絡路の上記回転ブラシ室側の上部に通路カバーを架設し、上記吸込口本体に、上記コンセント収納室内に上記電動機室、上記通路カバーを介して外気を吸気する空気孔を設け、上記連絡路壁に設けられた・・・」を「・・・を駆動する電動機を配設し、上記連絡路に連通する駆動パイプを設けた電気掃除機の吸込口において、上記吸込口本体に上記連絡路の他方に隣接させてコンセントを収納するためのコンセント収納室を設け、上記連絡路の上記回転ブラシ室側の上部に通路カバーを架設し、上記吸込口本体に、上記コンセント収納室内に上記電動機室、上記通路カバーを介して外気を吸気する空気孔を設け、上記連絡路の壁に設けられた・・・」と訂正致します。
Ｃ．さらに、特許請求の範囲の記載と発明の詳細な説明の記載との整合を図るため、明瞭でない記載の釈明を目的として、明細書の段落番号【００２９】の「・・・コンセント収納室の電気部品・・・電気部品は強制的に・・・」を「・・・コンセント収納室のコンセント・・・コンセントは強制的に・・・」と訂正致します。
Ｄ．さらにまた、特許請求の範囲の記載と発明の詳細な説明の記載との整合を図るため、明瞭でない記載の釈明を目的として、明細書の段落番号【００３０】の「・・・電気部品の冷却を・・・」を「・・・コンセントの冷却を・・・」と訂正致します。
Ｅ．また、特許請求の範囲の記載と発明の詳細な説明の記載との整合を図るため、明瞭でない記載の釈明を目的として、明細書の段落番号【００３１】の「・・・塵埃による電気部品の故障・・・・・埃の堆積による電気部品の過熱・・・」を「・・・塵埃によるコンセントの故障・・・・・埃の堆積によるコンセントの過熱・・・」と訂正致します。
（５４）【発明の名称】
電気掃除機の吸込口
（５７）【特許請求の範囲】
　【請求項１】　下面に吸塵開口部を有する回転ブラシ室を吸込口本体の前部に設け、
　上記吸込口本体の後部中央に該回転ブラシ室と連通する連絡路を設け、
　上記吸込口本体の後部に該連絡路の一方に隣接させて電動機室を設け、
　上記回転ブラシ室に回転ブラシを配設し、
　上記電動機室に回転ブラシを駆動する電動機を配設し、
　上記連絡路に連通する駆動パイプを設けた電気掃除機の吸込口において、
　上記吸込口本体に上記連絡路の他方に隣接させて
コンセント
　上記連絡路の上記回転ブラシ室側の上部に通路カバーを架設し、
　上記吸込口本体に、上記コンセント収納室内に上記電動機室、上記通路カバーを介して外気を吸気する空気孔を設け、
　上記連絡路
の
【発明の詳細な説明】
　　　【０００１】
　　【産業上の利用分野】
　本発明は、回転ブラシ及びこの回転ブラシを駆動する電動機を設けた電気掃除機の吸込口に関する。
　　　【０００２】
　　【従来の技術】
　この種の吸込口は、電動機により回転ブラシを回転させ、この回転ブラシの回転によってじゅうたんからごみを効果的にかき出すことにより、じゅうたん掃除を効果的に行うようにしたものである。
　ところで、回転ブラシは毛足の長いじゅうたんを掃除する時や吸込口が強く押し付けられた時には非常に大きな抵抗を受け、この場合、電源供給回路から電動機に流れる負荷電流が大きくなる。
　　　【０００３】
　そのため、特開昭６０−１７６６１８号公報のものにおいては、吸込口本体内の仕切壁に仕切られた一区画に上記電源供給回路の電気部品及び上記電動機を設け、この電動機の回転軸にファンを設け、電動機でファンを回転駆動して冷却風を上記一区画内に循環させて電気部品及び電動機の冷却を行っていた。
　　　【０００４】
　　【発明が解決しようとする課題】
　このように、特開昭６０−１７６６１８号公報のものは、冷却風を循環させて電気部品の冷却を行っているため、冷却風の温度が徐々に高くなり、電気部品を効率良く冷却することができず、しかも、電動機の回転数に応じてファンの回転数も変化するため、回転ブラシと吸込口との間に異物が挟まったり、回転ブラシに異物が巻き付いたりして回転ブラシがロックしてしまったときには、電動機に過負荷がかかり電動機の回転数が低下し、ファンの回転数も同様に低下するため、電気部品の冷却効率も低下するという問題があった。
　　　【０００５】
　　【課題を解決するための手段】
　本発明の電気掃除機の吸込口は上記の課題を解決するために、下面に吸塵開口部を有する回転ブラシ室を吸込口本体の前部に設け、上記吸込口本体の後部中央に該回転ブラシ室と連通する連絡路を設け、上記吸込口本体の後部に該連絡路の一方に隣接させて電動機室を設け、上記回転ブラシ室に回転ブラシを配設し、上記電動機室に回転ブラシを
駆
コンセント
の
　　　【０００６】
　　【作用】
　上記構成の電気掃除機の吸込口であれば、吸込時、連通部から収納室内の空気が駆動パイプの内部空間に吸い込まれるので、吸込口本体の空気孔から吸い込まれた外気により収納室内の電気部品を強制的に冷却する。
　　　【０００７】
　　【実施例】
　以下図面に示した本発明の実施例について詳細に説明する。
　吸込口本体１は上ケース５、下ケース６及びカバー７により外郭を構成し、後端部に上下回動自在（俯仰角調整可能）な駆動パイプ８を備え、さらにこの先端に回転自在な吸口パイプ９を連結する。
　上記駆動パイプ８の他端の両側壁に、当該駆動パイプ８を上記吸込口本体１に上下回動自在に軸支する回動軸８ａを設けている。
　　　【０００８】
　下ケース６はじゅうたん用のそりとして作用するもので、その下面前部に横長の吸塵開口部１０を形成しかつ該開口部１０の後方にてゴム製のシール材１１を横方向に配設している。又、下ケース６は下面前部にてローラ１２を、後部にて車輪１３を備え、このローラ１２と車輪１３とによって下ケース６の下面と床面との間に一定の間隔を生じるようになっている。
　　　【０００９】
　吸込口本体１の内部には上ケース５と下ケース６との結合により回転ブラシ室１４と該ブラシ室１４を駆動パイプ８側に連通させる連絡路１５とを形成し、この回転ブラシ室１４と連絡路１５により吸塵開口部１０から駆動パイプ８に至る吸塵通路を形成する。又、吸込口本体１の内側両側には機構室１６，１７を形成し、かつこの内側で連絡路１５の両側には電動機室１８とコンセント収納室１９を形成しており、この各室１６乃至１９は上記吸塵通路に対し適宜区画されている。
　　　【００１０】
　上ケース５の開口部２０は回転ブラシ室１４に対面し回転ブラシ２にからみついた糸くず等を容易に除去できるようにするためのもので、通常は着脱自在なカバー７により閉塞している。
　バンパー２１は両ケース５，６間に挾着され吸込口本体１の外周に位置するもので、両ケース５，６の結合面の密閉作用と障害物に対する緩衝作用とをなす。
　　　【００１１】
　回転ブラシ２は外周面にビーター２２及びブラシ毛２３を１条または複数条螺旋状に設けた構造であり、回転ブラシ室１４内にあって両端の軸２４を機械室１６，１７内に突出し該室１６，１７内で軸受組品２５により回転自在に枢支されている。
　　　【００１２】
　上記軸受組品２５は軸受２６、軸受ホルダー２７及びこの両者間に介在する弾性体２８よりなり、機械室１６，１７内において上下動自在に保持するものである。即ち、機械室１６，１７を構成する下ケース６側において対峙する一対のリブ２９，２９を一体に形成し、この両リブ２９，２９間の溝３０内に軸受組品２５を位置させて該組品２５が溝３０に沿って上下動できるようになっている。
　従って、このような軸受組品２５に枢支される回転ブラシ２も上下動自在に設けられることになり、該回転ブラシ２は通常自重及びスプリング３１の作用よりり最下位に位置する。
　　　【００１３】
　尚、回転ブラシ室１４と機械室１６、１７間の区画壁には回転ブラシ２の端部が挿通しかつ該回転ブラシ２の上下動を許す程度の開口部３２を設けてある。
　　　【００１４】
　実施例においては、吸込口を小型、軽量化するために適した電動機３として、交流整流子電動機に比べ小型、軽量な交流マグネット電動機を用い、この電動機３は電動機室１８内に設置され、その回転軸３３を機械室１６内に突出し、該回転軸３３は機械室１６内において回転ブラシ２の一方の軸２４との間に伝達機構４を介設する。
　　　【００１５】
　この伝達機構４は電動機３の回転軸３３に設けたプーリ３４、回転ブラシ２の一方の軸２４に設けたギヤプーリ３５、及び両プーリ３４，３５間に張設したタイミングベルト３６よりなり、電動機３の回転を回転ブラシ２に伝達する。
　電動機３の回転方向は、掃除をするときの進行方向に合わせて回転ブラシ２が回転するようにプーリ３４側から見て反時計方向に設定している。
　図中、３７はプーリ３４の自由端側を支える軸受組品である。
　　　【００１６】
　尚、上記吸込口本体１の上ケース５には上記電動機室１８及び後述の収納室内に外気を吸気するための空気孔（図示せず）が設けられている。また、電動機３は前・後部に通気口を有し、この通気口を介して内部を空気が流通できる構造になっている。
　　　【００１７】
　吸込口本体１はコンセント収納室１９にはコンセント３８を納め、その接続面を外表面に臨ませており、このコンセント３８から正特性サーミスタ３９、抵抗器４０を介して電動機３に給電する。上記正特性サーミスタ３９は一定負荷電流以上になると、自己発熱により抵抗値が急激に上昇して電動機３を停止させ、該電動機３を保護するものである。
　又、抵抗器４０は交流１００Ｖを減圧して電動機３に印加させるための電圧降下用の抵抗器である。
　図中、４１は電波障害防止用コンデンサ、４２は電動機３に内蔵されている全波整流器である。
　　　【００１８】
　上記抵抗器４０は連絡路１５の上部を横切って設けた通路カバー４３に保持されるもので、該カバー４３は連絡路１５と区画して形成した電気部品の収納室である空間部内に抵抗器４０を収納する。
　　　【００１９】
　図１において、矢印は冷却空気の流れを示すもので、この流れについて説明する。この冷却空気の流れは後記掃除機本体内の電動送風機の運転により発生するものであり、電動機３近傍にて上ケース５に設けた空気孔から外気が電動機室１８内に入り、電動機３内部を通り通過カバーで形成した収納室へ流入し、該収納室内の抵抗器４０の周囲を経て連絡路１５の壁の透孔（図示せず）から吸塵通路に流れ、電動機３及び抵抗器４０を冷却する。
　従って、抵抗器４０には安価なセメント抵抗器等を使用できることになり、勿論発熱による問題も招くことがない。
　　　【００２０】
　図５は吸込口の使用状態を示す図であり、４４は掃除機本体、４５は吸込ホース、４６は延長管、４７は吸込ホース４５の曲り管部４８に設けた手元スイッチ、４９は曲り管部４８に設けたコンセント、５０はコンセント３８、４９間を接続する電源コード、５１は掃除機本体４４に設けた交流１００Ｖを取り出すためのコンセント、５２はコンセント５１に接続して吸込口本体１側に給電する電源コードである。
　　　【００２１】
　以上の構成において、吸込口本体１の吸口パイプ９に延長管４６の一端を連結し、さらにこの延長管４６の他端を吸込ホース４５を介して掃除機本体４４に連結した状態で、電源コード５０をコンセント３８、４９に、今一つの電源コード５２をコンセント５１に夫々接続する（図５参照）。
　　　【００２２】
　而して、掃除機本体４４より引き出したコードを電源コンセントに接続して、手元スイッチ４７を床・畳側にＯＮすると、掃除機本体４４の電動送風機のみが給電されて吸塵作業を行うことになる。
　　　【００２３】
　手元スイッチ４７はじゅうたん側にＯＮすると、上記電動送風機と共にコンセント３８側にも交流１００Ｖが印加される。すると、電動機３は抵抗器４０を通して給電されることにより駆動し、伝達機構４を介して回転ブラシ２を回転駆動させる。この状態で、回転ブラシ２の回転によるかき出し作用と、電動送風機により吸塵開口部１０から回転ブラシ室１４、連絡路１５を経て流れる空気流の吸込作用とによってじゅうたん掃除を効果的に行うことができる。
　　　【００２４】
　じゅうたん掃除は吸込口本体１をじゅうたん上に移動させながら行うものであり、この時回転ブラシ２は上下動によって受ける抵抗を自動的に調節し、電動機３に加わる負荷を小さく保つことになる。
　　　【００２５】
　即ち、じゅうたんの毛足が長い場合やじゅうたん面に強く押し付けられた場合、回転ブラシ２は非常に大きな抵抗を受けることになるが、この際、回転ブラシ２を支える軸受組品２５が溝３０内に上下動できるようになっている為に、回転ブラシ２は上動（本実施例では斜め上方へ移動）によりじゅうたん面から後退して、受ける抵抗が小さくなるよう自動的に調節する。
　　　【００２６】
　これにより、電動機３に加わる負荷は小さく抑えられ、負荷電流の上昇も抑えられる。従って、電動機３に交流マグネット電動機を使用しても、実用上支障をきたすことなくじゅうたん掃除を行うことができる。
　　　【００２７】
　尚、回転ブラシ２に上動により吸収できない大きな負荷がかかり、電動機３がロック状態になった場合、過負荷電流が流れることになるが、この時には正特性サーミスタ３９が安全装置として働き、電動機３を保護する。
　　　【００２８】
　上述実施例では軸受組品２５をスプリング３１により下方に付勢しているが、このスプリング３１は省略することもできる。但し、回転ブラシ２を自重のみにより最下方に位置させるようにした場合、回転中にアンバランスを生じ易く、これによって騒音、振動を生じることになる為、極力上述実施例のようにスプリング３１により常に一定の荷重を加えるようにすることが望ましい。
　　　【００２９】
　　【発明の効果】
　本発明の電気掃除機の吸込口は、吸込時、吸込口本体の空気孔から外気を吸気し、この外気はコンセント収納室の
コンセント
コンセント
　　　【００３０】
　また、連通部でコンセント収納室と駆動パイプの内部空間を連通しているので、吸込口を簡単な構成にすることができるとともに、コンセント収納室が直接駆動パイプの内部空間に連通しているので、吸込口本体の掃除面への接離に関係なく、最低限の冷却風を確実に確保することができ、
コンセント
　　　【００３１】
　更に、連通部は回転ブラシ室からの塵挨の吸塵路とは別に直接駆動パイプの内部空間に連通しているので、回転ブラシの回転によりかきあげられ吸塵された塵挨がコンセント収納室内に入ることなく、塵挨によるコンセントの故障を防止するとともに、コンセント収納室内の空気を連通部から吸気しているので外気に含まれている細かな挨がコンセント収納室に堆積することなく、細かな挨の堆積による
コンセント
【図面の簡単な説明】
　　【図１】
　本発明の実施例における吸込口を示し上ケースを除き一部を断面図示した平面図である。
　　【図２】
　図１のＡ−Ａ′断面図である。
　　【図３】
　図１のＢ−Ｂ′断面図である。
　　【図４】
　本発明の吸込口の電気回路図である。
　　【図５】
　本発明の吸込口の使用状態を示す図である。
　　【符号の説明】
１　吸込口本体
２　回転ブラシ
３　電動機
８　駆動パイプ
９　吸口パイプ
１０　吸塵開口部
１４　回転ブラシ室
１５　連絡路
１８　電動機室